Podtech/llm-jp-corpus-v4-ja_patent huggingface dataset:
(57)【要約】【課題】  方向切換弁のスプールの位置を、容易且つ確実にモニタリングすることができる方向切換弁を提供する。【解決手段】  操作レバーを傾動させることによりスプールの位置を切り換えることができるように構成された方向切換弁において、前記スプールの傾動のための支軸に、前記操作レバーの傾動量を測定するためのセンサを設けたことを特徴とする。【選択図】  図４
2009185910.tif 000002
【特許請求の範囲】
【請求項１】
操作レバーを傾動させることによりスプールの位置を切り換えることができるように構成された方向切換弁において、前記スプールの傾動のための支軸に、前記操作レバーの傾動量を測定するためのセンサを設けたことを特徴とする方向切換弁。
【発明の詳細な説明】
【技術分野】
【０００１】
本発明は、操作レバーを傾動することにより、スプールの位置を切り換えるように構成された方向切換弁に関するものである。
【背景技術】
【０００２】
従来のポンプから吐出される作動油を複数の方向切換弁を介してアクチュエータに供給するようにした油圧回路は、建設機械等において使用されている（例えば、特許文献１）。
この種の油圧回路においては、アクチュエータを駆動した状態から停止させた場合に、アクチュエータが駆動し続けるようなことがないように、方向切換弁のスプールの中立状態（非作動状態）を確認できるようにしておく必要がある。スプールの中立状態を検出する方法としては、圧力センサーを方向切換弁からアクチュエータへの接続流路に外部接続する方法や、図１に示されるようにスプール軸１を移動させるためのレバー２にリミットスイッチ３を設ける方法や、或いは、図２に示されるようにスプール軸１にリニアセンサ４を取り付ける方法等が考えられる。
しかしながら、圧力センサーをアクチュエータへの接続流路に設ける方法では、アクチュエータの各位置における作動量とセンサから得られる信号との対応関係を、複数のアクチュエータそれぞれについて決定しておく必要があるため手間がかかるという問題があり、図１に示す方法では、リミットセンサ３をレバー２に取り付けることが難しく、方向切換弁の開度とレバー２との対応関係を複数のアクチュエータそれぞれについて決定しておく必要があるため手間がかかるという問題があり、また、図２に示す方法では、油圧回路内にリニアセンサ４を取り付けるための耐圧構造が必要となりコストがかかるという問題がある。
【０００３】
【特許文献１】特開平１０−１３１２３７号公報（図１）
【発明の開示】
【発明が解決しようとする課題】
【０００４】
そこで、本発明は、方向切換弁のスプールの位置を、容易且つ確実にモニタリングすることができる方向切換弁を提供することを目的とする。
【課題を解決するための手段】
【０００５】
上記課題を解決するために、本発明者は、下記の通り解決手段を見出した。
即ち、本発明の方向切換弁は、請求項１に記載の通り、操作レバーを傾動させることによりスプールの位置を切り換えることができるように構成された方向切換弁において、前記スプールの傾動のための支軸に、前記操作レバーの傾動量を測定するためのセンサを設けたことを特徴とする。
【発明の効果】
【０００６】
本発明によれば、スプールの位置をレバーの傾動量を容易にモニタリングすることができる。
【発明を実施するための最良の形態】
【０００７】
次に、本発明の一実施の形態について、図面を参照して説明する。
図３に示される油圧回路は、２つの方向切換弁を備えたマルチプルコントロールバルブを示すものである。
ポンプＰは、方向切換弁１０を介して、アクチュエータ（Ａ１，Ｂ１，Ａ２，Ｂ２）に接続される。方向切換弁１０は、ポンプＰに接続するための一次ポート、アクチュエータに接続するための二次ポート、アクチュエータからの作動油をタンクＴへと戻すためのタンクポートを備えている。また、方向切換弁１０の筐体内には、作動油の方向を切り換えるためのスプール７が設けられ、このスプール７と一次ポートとの間に圧力補償流量制御弁６が設けられる。この圧力補償流量制御弁６は、アクチュエータに負荷される圧力と、ポンプＰ側から供給される作動油の圧力との差圧を一定にすることにより流量を制御できるように構成されている。図示されるものでは、１次ポートからスプール７への流路９において、圧力制御弁６は、流路９の圧力と、コントロールライン５を介して供給されるアクチュエータの負荷圧力との差圧を一定にして流量を制御する。
方向切換弁１０は、電磁切換式の３位置の２方向の弁として構成され、上側のブロックと下側のブロックとを、操作レバーからの傾動量により各ブロックへの切換を行うように構成されている。図示したものでは、下側のブロックに切り換えるとアクチュエータへの作動油を順方向に供給し、上側のブロックに切り換えるとアクチュエータへの作動油を逆方向に切り換えるようになっている。
【０００８】
本発明では、上記のようにスプール７の位置を切り換えるための操作レバーの支軸に傾動量を測定するためのセンサを設けるようにしている。その一例を、図４を参照して説明する。
同図４（ａ）に示される方向切換弁１０の筐体１１の外側から装着されるものであって、スプール７に接続され、且つ、スプール７の軸方向に延出する部材１２に、固定用の溝１２ａを設け、操作レバー１３の作用点となる部位１３ａを、溝１２ａに嵌合等して固定される。尚、操作レバー１３は、同図（ｂ）に示すように、支軸１３ｂを支点として傾動できるように構成される。
この構成により、操作レバー１３を傾動させると、方向切換弁１０のスプール７を切り換えることができる。その際、操作レバー１３の傾動量（α）を、支軸１３ｂに設けられたセンサ１４により検出することにより、例えば、αが０°の時にスプール７が中立状態等として中立状態を検出することができる。尚、センサ１４は、操作レバー１２の傾動量を検出できるものであれば特に制限するものではないが、例えば、ロータリーセンサー等を使用することができる。
【産業上の利用可能性】
【０００９】
本発明の方向切換弁は、マルチプルコントロールバルブを備えた油圧ショベル等の建設機械や作業車両等の分野において利用することができる。
【図面の簡単な説明】
【００１０】
【図１】従来の方向切換弁のスプールの中立状態の検出方法の説明図（（ａ）正面図（ｂ）側面図）
【図２】従来の方向切換弁のスプールの中立状態の検出方法の説明図
【図３】本発明の一実施の形態を説明するための油圧回路
【図４】同回路に使用される方向切換弁の概略説明図（（ａ）正面図（ｂ）側面図）
【符号の説明】
【００１１】
１  スプール軸
２  レバー
３  リミットスイッチ
４  リニアセンサ
５  コントロールライン
６  圧力補償流量制御弁
７  スプール
９  流路
１０  方向切換弁
１１  筐体
１２  部材
１３  操作レバー
１４  筐体
【図１】
2009185910.tif 000003
【図２】
2009185910.tif 000004
【図３】
2009185910.tif 000005
【図４】
2009185910.tif 000006
(57)【要約】      （修正有）【課題】ＣＯ２排出を削減できる家庭から出る生ゴミの発酵堆肥化システムを提供する。【解決手段】収集した家庭生ゴミを投入した集合槽から粉砕槽にベルトコンベアーで移送し、粉砕した稲ワラと混合粉砕し、液状化する。粉砕槽を傾斜させ、液状化物質を箱形容器に注入し、ベルトコンベアーにより暖気室に移送し発酵処理する。暖気は工場建屋の屋上や敷地に設置したソーラー発電及び風力発電併用装置から供給し、ボイラー燃焼量を軽減させるシステムとする。【選択図】図１
2009173511.tif 000002
【特許請求の範囲】
【請求項１】
発酵システムは、生ゴミを上部投入口から集合槽に投入し、一つ前の工程はセンサーによって読み取られ自動でベルトコンベアーが作動し、生ゴミは次工程の上部粉砕槽の投入口が開き自動で投入されるが、この粉砕槽の回転スイッチを入れる前に稲ワラの粉砕を自動で適量投入する。その後自動でスイッチが入り粉砕槽の中の回転部とミキサーの回転刃と同等の刃が逆回転で、高速回転の中で生ゴミをどろどろの液状にする。粉砕槽の外部重量バランスを取った両横面に、鋼球受け治具が溶接で取付けられていて、両横面から鋼球を溶接で取付けた金属アームがその鋼球受けにすっぽりと挿入されている。この装置で回転注入法し粉砕槽外部底面に、ワイヤーフック掛けリングが溶接で取付けられていて、そのリングにワイヤーフックが掛けられ左上部の滑車を利用したワイヤー巻取りウインチは自動で巻かれ粉砕槽は、注ぎ傾斜が計られ次工程の適宜の量の入る箱形の容器にどろどろの液状化物質を注ぎ入れる。その箱はベルトコンベアーに乗って暖気室に運ばれ、自動で設置場所に置かれ日数を管理されて発酵を促す。この室の暖気は工場建屋の屋上や敷地に設置したソーラー発電及び風力発電併用の、ボイラー燃焼量を軽減させるシステムとする。日数を計って農家の注文を受け、直接販売するか配達をするかの問題からも箱そのもので運搬できる取手を取付ける。
【発明の詳細な説明】
【技術分野】
【０００１】  本発明は、日本及び世界に拡大すべく家庭生ゴミを区分けして堆肥化するシステムを構築し、ＣＯ２排出削減という命題の社会的価値を生み出すために成されたものである。
【背景技術】
【０００２】  従来に於ては、簡単燃焼物と生ゴミとの混同で燃焼していたので、燃焼時間が長くかかる事と、ＣＯ２排出も増大し焼却灰の埋め立て容量の問題もあった。
【発明が解決しようとする課題】
【０００３】  国が家庭から出る生ゴミに対する、生ゴミ焼却防止法を立法し、その条文として国民の義務としての、食品から生ずる生ゴミを誠実に一般焼却ゴミと区分けして、（国が地方自治体に支援して業者に造らせる生ゴミ投入槽で、旧式便所に用いる糞便臭を除去する円筒内脱臭換気扇方式の、生ゴミの悪臭を感じさせない装置付き）ポリ袋の投入は厳禁とし、完全に生ゴミだけを投入させる。生ゴミ投入槽はプラスチックから出来ていて、各町内に設置した投入槽には運搬するための、ウインチで吊り下げするロープ取付け取手が取付けられていて、例えば県の東西南北に設立された生ゴミ発酵システム事業所に持ち込んで、自動で大口集合槽に投入させる。まず当事業は、当事業所と地方自治体と銀行いずれも利益を上げる目的でかかわってはならない。当事業は社会貢献として更に人類の未来の為に出発せねばならない。地球温暖化防止については、考えられる事はまず始めねばならない。でなければ温暖化防止は進展せず、悔恨を未来に起こす事になり従って、出発は急務を要する事案である。しかし銀行の立場から言えば、リスク回避を設ける事が事業体の必須条件であるならば、とりあえず出願者の住む市である松山市をモデルとして当事業を立ち上げ、その効果を見て全国展開に於て貢献への積極的参加が望まれる。そのモデルケースを成功させるためには、国のバックアップ体制が必要である。まず国が建設費の全額を無利子で貸し出し、科学技術庁長官が任命する（生ゴミ堆肥化プロジェクト推進委員会）を設立し、松山市モデルを成功に導く努力をすることとせねばならない。
【課題を解決するための手段】
【０００４】  図１の如く、生ゴミ投入口から生ゴミを集合槽に投入する。次に、コンベアで生ゴミが粉砕槽に運ばれ自動投入口から投入され稲ワラ粉砕物を自動で適量投入し自動で粉砕スイッチが入る。以下で述べる、回転注入法で箱に注がれたどろどろの液体は次工程の暖気室に運ばれ温めて発酵を促し、日数管理した後に未成熟堆肥を農家に個数販売する。
【発明の実施形態】
【０００５】  以下、発明の実施形態について説明する。
各町内から集めた生ゴミ投入槽を当事業所に集め、集合槽から次工程の粉砕槽で稲ワラ粉砕物を投入し、以下で述べる回転注入法で箱に注ぎ入れベルトコンベアーで暖気室に運ばれるが、ソーラー・風力・ボイラーの三エネルギーで温め発酵を促す。日数管理された後に出荷する。
【発明の効果】
【０００６】  現在原油の高騰の中で、地方自治体の財源が乏しい時に、燃焼ゴミの中に生ゴミを混入させている事は重油代が嵩み税金の無駄を生み出し、生ゴミが灰になるまで焼却するのは時代にそぐわない。当案を採用することで、生ゴミの恒久的対策を実現できることと、税金の無駄を減少できる。その根拠は現在松山地方裁判所に、憲法第十六条に基づき、「ＣＯ２排出削減緊急法」○章「自然循環形対策法」第○条「家庭生ゴミ焼却防止法」立法の請求は、私が特許出願した整理番号Ａ−２３の技術に述べた通りである。と記述されている。更に、同項第○条「家庭小面積紙集合再製紙法」（イ）国は家庭から出る小面積紙を再製紙生産するために、週二回護美置場に出させ、地方自治体は小面積紙を集める業者に適当な賃料を払い、再製紙工場に集めさせねばならない。（ロ）都道府県は、地方自治体の西部東部及び南部北部に採算の合う規模の、再製紙の工場を誘致をせねばならない。以下（ハ）（ニ）（ホ）の項を設けた条文に於て又当事業は、ソーラーパネル発電と風力発電とボイラーによる三供給方法とするので、全世界のモデルケースとしてＧ８サミットで国家プロジェクトとして、ＣＯ２排出削減量換算を福田総理がＧ７首脳に紹介する事は議長国として、日本の責任を果たす事のできる一つのアピール事案となるはずである。更に、現在地方自治体の燃焼灰は堆肥として使えず、本案の技術によって豊かな農地作りのために、格安で農家に提供できる。以上から日本に於ては、家庭護美焼却は完全に消滅し全世界に迎え入れられ、地球温暖化防止に大きく貢献できる。
【図面の簡単な説明】
【図１】  家庭から出る生ゴミを投入槽に投じさせ事業所に集合させ生ゴミ集合槽から各ラインを経て、未成熟堆肥販売に至るまでの工程の流れを図表化したものである。
【図１】
2009173511.tif 000003
(57)【要約】      （修正有）【課題】高火度で焼成しても和紙の形状、質感を失うことがなく、陶磁器の実用強度を得る、陶磁器の製造技術分野を拡大する和紙焼の製造技法を提供する。【解決手段】和紙を通常の陶磁器焼成温度である１２００度程度で焼成しても和紙の形状、質感を失わないように和紙を不燃性の材質に加工する技術である。和紙の特徴である繊維間の隙間に微粒子の粘土を浸透させて繊維に粘土の粒子を吸着させ一体化させることにより不燃性の和紙になり焼成可能となり和紙の質感を生かしたまま陶磁器の実用強度をもたせることができる。【選択図】図１
2009173513.tif 000002
【特許請求の範囲】
【請求項１】
和紙と粘土を用いて実用陶磁器を製造する技術で両面に和紙を使用して和紙の形状、質感を残したまま焼成する陶磁器
【請求項２】
和紙と粘土を用いて実用陶磁器を製造する技術で粘土により形成された生地に加工した和紙を貼り付けて和紙の質感を残したまま焼成する陶磁器
【発明の詳細な説明】
【技術分野】
【０００１】日本の伝統技術である陶磁器の製造技術分野を拡大する新たな製造技法
【背景技術】
【０００２】和紙は日本の伝統文化で日本人の感性に最も合う素材でありながら、従来の陶磁器の製造技術において紙は燃えて灰になり、形状、質感を失う材料であるため、絵付けの材料には利用されてきた例もあるが、和紙を用いて生地そのものを成型し焼成されることは無かった。伝統文化である和紙を用いて陶磁器の製造技術により実用可能な和紙の器を製作する。
【発明の開示】
【発明が解決しようとする課題】
【０００３】従来から紙に特殊な塗料などを塗布して耐水性を持たせた紙の器のようなものは特殊な分野で開発されてきた。しかし強度が無い、水に弱いなど実用的には不十分であり、普及品として実用化されることはなかった、和紙に実用可能な強度を持たせるには従来の方法では困難であり、陶磁器として高火度で焼成する必要がある。しかし紙は燃焼により灰となって形状、質感を失う為、困難と考えられていた。この発明はその課題に取り組み、高火度（１２００度程度）で焼成しても和紙の形状、質感を失うことがなく、かつ、陶磁器の実用強度を得ることを課題として開発した。
【課題を解決するための手段】
【０００４】和紙を燃焼後に形状、質感を失わない不燃素材として加工し、その後、成型することで陶磁器と同様の製造、焼成を可能にする。【０００５】［１］紙の選定条件・・紙に含ませる材料がしみ込みやすくかつ水分を含んでも強度があり製造過程の作業が可能なものでなければならない【０００６】［２］紙の選定・・・・楮（こうぞ）など繊維の長い材料により手漉きされた和紙が材料のしみ込みが良く、かつ、水分を含んだ後の強度が強い事、焼成後の質感が最も紙に近いことから［楮の手すき和紙］を選定した。【０００７】［３］生地材料の選定条件・・和紙の繊維の隙間にしみ込みやすい微粒子の粘土でなければならない。また、泥状にして使用する為、溶けやすく溶けた後も均一な品質が保たれる必要がある。【０００８】［４］生地材料の選定・・粘土の粒子が微粒であり、溶けた後も粘度を失いにくい事から半磁器状の粘土を選定した。【０００９】［５］生地材料の調合・・粘土を溶解し泥状にしてから１０％程度の透明釉を加える事として、和紙の加工、成型作業を可能とし、かつ、焼成後の強度が現状の陶磁器と同等の強度が得られる調合にした。【０００１０】［６］釉薬の調合条件・・素焼き段階での和紙部分の状態を考慮し釉薬が溶けた後に和紙部分に充分に浸透し和紙部分に実用可能な強度を持たせるものでなければならない。【０００１１】［７］釉薬の選定・・・・通常の高火度透明釉では焼成時の浸透性が悪く、強度不足、剥離、破損などの問題があり低火度の釉薬を開発した。【０００１２】［８］焼成方法・・・・・［７］に伴い焼成を無釉での高火度焼成（１２００度程度）と施釉後の低火度（９００度程度）２回に分けて行うこととした。
【発明の効果】
【０００１３】和紙という日本の伝統的な材料を陶磁器として焼成することにより、陶磁器製造及び和紙製造の双方の新しい分野の商品開発が可能となり日本の伝統文化に新分野を提供できる。また、この技法により焼成された和紙の器などは従来の食文化の中には存在しておらず、この器を使うことにより日本の食文化の創造性を高める。
【発明を実施するための最良の形態】
【実施例】
【０００１４】実施の形態を二つの製造方法に分けて説明する。また、この技術は和紙を加工し燃えない和紙としてから成型するまでが新しく開発したものであり、焼成は従来の陶磁器の焼成課程と類似している為、詳しい解説は省略し、不燃和紙の加工に関し重点的に説明する。【０００１５】［１］両面和紙で成型する場合（図１の解説）
（１）和紙を使用目的にあわせて適当な大きさに切断する。
（２）和紙を絞りなどの技法により陶芸用下絵の具を用いて染色する。
（３）和紙に上記［５］にて調合した生地材料を塗布し不燃和紙に加工する。
（４）（３）を大きさや使用目的にあわせて数回繰り返し適当な厚さにする。
（５）（１）と同じ形状に切断した和紙を生地材料を塗布した上から貼り付ける。
（６）型などに貼り付けるなどして実用目的にあわせて成型する。【０００１６】［２］粘土生地に貼り付けて成型する場合（図２の解説）
（１）生地をロクロ成型、たたら成型などの技法により成型する。この時、成型後に生地が乾燥しないよう充分に湿度を保つよう維持する。
（２）和紙を使用目的にあわせて適当な大きさに切断する。
（３）和紙を絞りなどの技法により陶芸用下絵の具を用いて染色する。
（４）和紙に上記［５］にて調合した生地材料を塗布し不燃和紙に加工する。
（５）（３）を大きさや使用目的にあわせて数回繰り返し適当な厚さにする。
（６）（１）にて成型した粘土生地に貼り付ける。【０００１７】［３］焼成、施釉・・［１］，［２］共通
（１）充分に乾燥させ素焼きを行う。
（２）素焼き時に発生する和紙の灰を除去する
（３）必要に応じて絵付け、部分的な施釉（高火度釉）をする
（４）本焼き（１２００度程度）する
（５）低火度釉を施釉して焼成する。
【産業上の利用可能性】
【０００１８】食器、インテリア商品、建築用装飾品など広範囲に渡る商品開発が可能で陶芸業界和紙業界双方に新規需要の拡大が期待できる。
【図面の簡単な説明】
【０００１９】
【図１】両面和紙の場合の製作工程
【図２】和紙貼り付けの場合の製作工程
【図１】
2009173513.tif 000003
【図２】
2009173513.tif 000004
(57)【要約】      （修正有）【課題】小規模の工事現場にも簡単に運搬、据付が可能な貯蔵容器として、鋼板と柔軟性のある不透水シートを組み合わせ、運搬据付時は小さくたたみ、工事現場で拡張し貯蔵量を確保する貯蔵容器を提供する。【解決手段】複数の側板１と天板２がゆとりを持った柔軟なシート３で連結され、折りたたんだ状態で運搬据付し、据付後蝶番４を中心に側板１を外側に傾斜させ、側板１と天板２がシート３により互いに引っ張り合い拘束された拡張状態を形成することにより内容量を増加させることが可能な密閉型粉体貯蔵容器。【選択図】図４
2009173335.tif 000002
【特許請求の範囲】
【請求項１】
複数の側板（１）と天板（２）がゆとりを持った柔軟なシート（３）で連結され、折りたたんだ状態で運搬据付し、据付後蝶番（４）を中心に側板（１）を外側に傾斜させ、側板（１）と天板（２）がシート（３）により互いに引っ張り合い拘束された拡張状態を形成することにより内容量を増加させることが可能な密閉型粉体貯蔵容器。
【発明の詳細な説明】
【技術分野】
【０００１】本発明は、建設工事現場でセメント等の粉体を貯蔵するための容器に関するものである。
【背景技術】
【０００２】建設工事現場でセメント等を一時的に貯蔵する場合、鋼鉄製の容器を使用している。
一般的には、貯蔵量が３０トンのものが多く使用されている。
その外形は、円筒形が一般的で、直径が２．５ｍ、高さ８ｍ、重量は８．０トン程度と大きく運搬と据付、また使用後の撤去に大型のトラックとクレーン車が必要である。
建設工事現場が発生する度に輸送、据付を繰り返して使用しているが据付作業に非常な危険を伴う。
また、住宅等の小規模の工事現場は道路幅も狭く大型のトラックやクレーン車が進入できない事も多い、またセメントの使用量が少ない工事現場では運搬、据付に労力がかかるので、鋼鉄製の貯蔵用容器を使用せず１．０トンずつ袋に詰めたセメントを工事現場に持ち込み、使用するのが一般的である。
しかし、この袋は一回だけの使用で後は産業廃棄物として処理されるが、石油製品なのでエネルギーの無駄と地球環境に対して大きな負荷を与えている。
また袋からセメントを取り出す時に相当な粉塵が発生し人体や環境に悪い影響を与えている。また袋を回収して再利用しようとしても袋に付着したセメントが粉塵となり飛散し作業は困難を伴う。
【発明の開示】
【発明が解決しようとする課題】
【０００３】従来使用されているセメントの貯蔵容器は大型で鋼鉄製のため重たく運搬と据付に危険と労力がかかっているが、この貯蔵容器が小型軽量であれば工事現場まで安全に運搬し、容易に据付、撤去することが可能であり、小規模の工事現場にも安全かつ手軽に適用でき、袋詰めセメントを使用しないで建設工事が可能となる。
本発明は、これらの問題点を解決するためになされたものである。
【課題を解決するための手段】
【０００４】図１は、輸送、据付時の姿図で下部底辺が２ｍ＊２ｍで高さが３ｍで側板（１）と天板（２）を連結するシート（３）は内部にたたみ込まれた状態を表し、図２はその縦断面図、図３はその水平断面である。
下部枠（５）は高さ約０．３ｍの鋼板で２ｍ＊２ｍの四角を構成し、上部の側板（１）を蝶番（４）で支え、側板（１）が外側に約３０度傾斜する。セメントを入れると内圧が発生し、四枚の側板（１）と天板（２）がシート（３）の働きで互いに引っ張り合い図４の形状となる。
図４は、据付後、拡張した形状で側板（１）と天板（２）を連結したシート（３）が引張力を受け安定した状態を示し、この状態でセメントを貯蔵する。
【発明の効果】
【０００５】本発明の拡張型貯蔵容器には次のような効果がある。
（イ）鉄製の貯蔵容器にくらべ、シートを使用しているので重量が軽いうえ、折りたたむことで体積が小さくできるので、輸送に大型のトラックが不要となり、トラックに積み込み、工事現場で据付、撤去するのに大型クレーンが不要となり安全性が向上する。
（ロ）建設工事現場のほとんどは住宅等の小規模な工事であり、道路幅が狭く大型のトラックやクレーンが通行できない場合でも適用可能である。
（ハ）従来セメントの使用量が少量の工事現場では粉塵が発生するにもかかわらず袋詰めセメントを使用していたが、本貯蔵容器が安全かつ簡単に据付、撤去が可能であるため、袋詰めセメントの使用をやめることが可能である。
（二）工事現場で袋詰めセメントを使用する場合粉塵の発生を伴い人体と環境に悪影響を与える、また袋を産業廃棄物として処理しているが環境に負荷がかかる、そこで袋詰めセメントにかえ本貯蔵容器を使用することでこれらの問題を解決できる。
【発明を実施するための最良の形態】
【０００６】本発明の貯蔵容器の運搬据付は、底辺が２ｍｘ２ｍで高さが３ｍ程度の直方体に折りたたんだ状態で実施する。
据付後に底辺が２ｍ＊２ｍで上部が４．７ｍ＊４．７ｍ角で高さが３ｍの角錐台に広げることが可能な構造とする。
下部に蝶番を取り付けた四枚の側板と天板を柔軟性のある不透水のシートで連結し側板を垂直面から３０度傾斜し、角錐台の形状になるようにシートの寸法を決めておき、シートの張力で四枚の側板を拘束し形状を保つ構造となっている。
広げた状態での容積を計算する。
底面が等しく高さが異なる二つの角錐台が底面を共有した形状となり、角錐台の体積は、底面積をＳ１，Ｓ２とし高さをＨ１，Ｈ２とすると、公式は以下となる。
体積はＶ＝（Ｈ１＋Ｈ２）＊｛Ｓ１＋Ｓ２＋√（Ｓ１＊Ｓ２）｝／３
Ｓ１＝４．７＊４．７＝２２、Ｓ２＝２＊２＝４
側板を３０度傾斜させると、下部の枠が高さ０．３ｍなのでＨ１＝２．３ｍ，Ｈ２＝０．４ｍとなり体積の公式に代入すると
体積はＶ＝（２．３＋０．４）＊｛２２＋４＋√（２２＊４）｝／３＝３１（立法メートル）
セメントの見かけ比重は１．２であるから、貯蔵能力は  ３１＊１．２＝３７．２トンで３０トン以上であり、鋼製の貯蔵容器と同等以上である。
水平断面を広げることにより貯蔵高さを低くして必要な容積を確保するが、貯蔵高さを低くするとセメントの内圧が小さくなり、側板やシートの強度も小さくてすむ利点がある。またシートを使用することにより鋼製の貯蔵容器より大幅大幅に軽量化をはかることが可能である。
【図面の簡単な説明】
【０００７】
【図１】容器を折りたたんだ斜視図
【図２】容器を折りたたんだ縦断面図
【図３】容器を折りたたんだ水平断面図
【図４】容器を拡張した斜視図
【図５】容器を拡張した縦断面図
【符号の説明】
【０００８】１は側板、２は天板、３は不透水シート、４は蝶番、５は下部枠、６は支柱
【図１】
2009173335.tif 000003
【図２】
2009173335.tif 000004
【図３】
2009173335.tif 000005
【図４】
2009173335.tif 000006
【図５】
2009173335.tif 000007
(57)【要約】【課題】  練り歯磨き粉チューブを片手で簡単に絞り出せ、壁などに取り付ける練り歯磨き粉チューブ絞り器を提供する。【解決手段】  発明本体を壁などに取り付け、開閉蓋を閉じることで本体中にある上下コラムの上コラムが下がり、歯磨きチューブ後端を挟みつけ、ハンドルを右回しすることで、チューブ内の歯磨き粉を無駄なく簡単に絞り出せることを特徴とした練り歯磨き粉チューブ絞り器。【選択図】図１
2009173333.tif 000002
【特許請求の範囲】
【請求項１】
発明本体を壁などに取り付け、開閉蓋を閉じることで本体中にある上下コラムの上コラムが下がり、歯磨きチューブ後端を挟みつけ、ハンドルを回すことによって、チューブを無駄なく絞り出せることを特徴とした練り歯磨き粉チューブ絞り器。
【発明の詳細な説明】
【技術分野】
【０００１】  本発明は、壁などに取り付け、練り歯磨きチューブをレバーを回転させ先端から絞り込むことで、内部の練り物を無駄なく、手間もなく絞り出せることを目的とした練り歯磨き粉チューブ絞り器に関するものである。【０００２】  従来、電動歯磨きチューブ絞り装置（特許文献１参照）があった。また、左手と右手の一体作業で絞れるチューブ絞り（特許文献２参照）があった。
【特許文献１】特許平７−５８８９２
【特許文献２】特願２００４−３８２５５９（Ｐ２００４−３８２５５９）
【発明の開示】
【発明が解決しようとする課題】
【０００３】  従来のチューブ絞りには次のような問題があった。
（イ）装置は故障の可能性と電力量消費があり経済的でない。
（ロ）チューブを絞るときに、両手作業のため歯ブラシを持つことが出来ず、手間がかかった。
本発明は以上の問題点を解決するためになされたものである。
【課題を解決するための手段】
【０００４】  発明本体を壁などに取り付け、開閉蓋を閉じることで本体中にある上下コラムの上コラムが下がり、歯磨きチューブ後端を挟みつける。そして片手でハンドルを回すことによってチューブ内の歯磨き粉を無駄なく簡単に絞り出せる。以上を特徴とする練り歯磨き粉チューブ絞り器である。
【発明の効果】
【０００５】  絞り器のレバーを回転することで簡単に無駄なく、内部の歯磨き粉を絞り出せ、しかもチューブを持つ手間なく歯磨き動作に入れることが出来る。
【発明を実施するための最良の形態】
【０００６】  以下、本発明の実施の形態について説明する。
（イ）発明の土台（１）を壁などに取り付ける。
（ロ）土台側面（２）の上端に、開閉蓋軸（３）を設け、開閉蓋（４）を設ける。開閉蓋（４）をロックするために開閉蓋の内側にある爪（５）を、また土台側面（２）に溝（６）を設ける。
（ハ）土台側面（２）の中央に上コラム（８）と下コラム（９）のそれぞれの上下軸（７）を土台側面（２）の両端に橋渡しするように設け、上コラム（８）の掛かっている土台側面（２）には上コラム（８）が上下に移動出来る長孔（１０）を設ける。
（ニ）上コラム（８）の左端には長方形のハンドル（１１）を設ける。
本発明は以上のような構造で、これを使用する時は、左右にある土台側面（２）を親指と人先指で挟みつける（図５参照）ことで開閉蓋の内側にある爪（５）が解除されることで開閉蓋（４）が開く。
次に上コラム（８）と下コラム（９）の間にチューブ（１２）後端を挟み込む。そして、開閉蓋の内側にある爪（５）を土台側面（２）の溝（６）に引っ掛け、ロックされることによって開閉蓋（４）が閉じる。最後に、左手でハンドル（１１）を右回転させることで上コラム（８）と下コラム（９）が噛み合って回転し始め、チューブを圧しながら歯磨き粉を絞り出し、右手に持っている歯ブラシに歯磨き粉を乗せることが出来る。
【図面の簡単な説明】
【０００７】
【図１】本発明の斜視図
【図２】本発明の断面図
【図３】［図２］土台側面の拡大図
【図４】本発明の側面図とコラム断面図
【図５】本発明の使用状態を示す側面図
【符号の説明】
【０００８】１  土台
２  土台側面
３  開閉蓋軸
４  開閉蓋
５  開閉蓋の内側にある爪
６  溝
７  上下軸
８  上コラム
９  下コラム
１０  長孔
１１  ハンドル
１２  チューブ
【図１】
2009173333.tif 000003
【図２】
2009173333.tif 000004
【図３】
2009173333.tif 000005
【図４】
2009173333.tif 000006
【図５】
2009173333.tif 000007
(57)【要約】【課題】  本発明は、ゴミの量が少なくともゴミの嵩が大きくなるとゴミ箱が満杯になりゴミを回収に出す回数が多くなっていた、またゴミ嵩が大きいとゴミ袋の使用量が多くなっていた。【解決手段】  本発明は、ゴミ箱本体に水平の窪み又は溝の凹部を作り、ゴミ箱の蓋にはグリップを回すと出し入れ可能な凸部と空気抵抗を防ぐ空気の抜け穴を作る。手で蓋を底に向けてゴミを押込め、その圧縮状態時にゴミ箱の凹部に蓋のグリップを回して凸部を凹部に挿入し停止させる。ゴミが少量の時から順次に圧縮が可能な事と長時間の圧縮状態でゴミ嵩が効率的に小さくなる。ゴミを回収に出す回数を減らせ、ゴミ袋の使用量も減るので省エネに役立つ。【選択図】図１
2009173408.tif 000002
【特許請求の範囲】
【請求項１】
ゴミ箱本体に水平の窪み又は溝の凹部を作る、ゴミ箱の蓋にはグリップを回すと出し入れ可能な凸部を作る、また空気抵抗を防ぐ空気抜け穴を作る。ゴミ箱の蓋を手で底に向けて押し圧縮状態になった時、蓋のグリップを回すと凸部出て凹部に挿入し停止させる、その状態を解除するまで圧縮状態が続く為、ゴミの膨張を長時間かけて防ぐ事が出来、またゴミが少量の時から順次に圧縮が出来るので効率的にゴミの嵩が小さくなる。ゴミの嵩が小さくなるとゴミを回収に出す回数が減り、またゴミ袋の使用量も減るので省エネに役立つ、圧縮機能付きゴミ箱。
【発明の詳細な説明】
【技術分野】
【０００１】
この発明は、ゴミを圧縮する事で嵩を小さくして、ゴミの回収に出す回数を減らしゴミ袋の使用量も減らす事を目的とするゴミ箱である。
【背景技術】
【０００２】
従来、多くの場合い何もしないでそのままゴミ箱にゴミを棄てる事が多かった、その場合いゴミの材質や形状から余分な空間またゴミ同士の間に隙間か出来、たとえゴミの量が少なくてもゴミの嵩は大きくなりゴミ箱が満杯になっていた、そのつどゴミ袋にゴミを詰めゴミの回収に出していた。
【発明の開示】
【発明が解決しようとする課題】
【０００３】
今ままではゴミを棄てたらそのまま状態か、またはゴミ嵩を小さくするためにゴミ箱の蓋などでゴミを押して圧縮状態にしていたが、一時的に圧縮してもゴミは元の形に戻ろうとする、またその場合いも上部にあるゴミしか圧縮できないので効率的にゴミの膨張を防止できなかった。
【課題を解決するための手段】
【０００４】
本発明は、ゴミ箱本体にゴミ箱の蓋を圧縮状態のまま定位置で停止が出来る凹部の形状を作る、ゴミ箱の蓋にも圧縮状態のままゴミ箱本体に定位置で停止が出来る凸部の形状を作るものとする。
【発明の効果】
【０００５】
ゴミが少量の時から順次に圧縮が出来るので効率的である、また圧縮状態を長時間続けておくとゴミは元の形に戻る力が弱まり、ゴミの膨張を防止することが出来る。ゴミ嵩が小さくなるとゴミを回収に出す回数が減り、またゴミ袋の使用量も減るので省エネに役立つ。
【発明を実施するための最良の形態】
【０００６】
以下、本発明の実施例について説明する。
ゴミ箱本体にゴミ箱の蓋を定位置で停止が出来る水平の窪み又は溝の凹部を作る、ゴミ箱の蓋にはゴミ箱本体に作った窪み又は溝に停止が出来るように、グリップを回すことで出し入れが可能な形状の凸部を作り、押し込めやすいように空気の抜け穴を作る。
【図面の簡単な説明】
【０００７】
【図１】ゴミ箱本体とゴミ箱の蓋の凸部が出て圧縮状態にした断面図である。
【図２】ゴミ箱の蓋を上から見た、凸部が出ていない状態の平面図である。
【図３】ゴミ箱の蓋を上から見た、凸部が出ている状態の平面図である。
【符号の説明】
【０００８】
１  ゴミ箱本体の窪み又は溝の凹部
２  ゴミ箱の蓋のグリップ
３  ゴミ箱の蓋の凸部
４  ゴミ箱の蓋の空気の抜け穴
５  ゴミ箱の蓋
６  ゴミ
【図１】
2009173408.tif 000003
【図２】
2009173408.tif 000004
【図３】
2009173408.tif 000005
(57)【要約】      （修正有）【課題】酒気帯運転以上の危険な運転を防止することができるシステムを提供する。【解決手段】運転席の運転者１の口、鼻の付近に測定器３の呼気吸入口２を置き、運転者１の呼気を測定器３に取り込み測定する。測定器３の表示部の下２桁の数字の部分の電圧を使用してリレーを動作させ、濃度が規定値又はそれ以上の時に、警報音を鳴らすか、リレーを動作させることにより自動車のディストリビューターへ供給する電源を遮断しエンジンを停止する。【選択図】図−１
2009173252.tif 000002
【特許請求の範囲】
【請求項１】
酒気検出器の測定数値の表示回路の数字を構成するセグメントの一部から出力を得て規定値以上の時に警報音を鳴らすかエンジンを遮断する酒酔い運転防止システム。
【発明の詳細な説明】
【発明の詳細な説明】
【技術分野】
【０００１】本発明は飲酒運転を防止するシステムに関するものである。
【背景技術】
【０００２】飲酒運転による事故は後を断たず、一斉取り締まりを行いマナーの向上を図っているが事故を起こした後に運転者の呼気を風船を膨らませてそれを測定器に入れて測定して呼気１１中に０．１５ｍｇ以上のアルコールを検出すると酒気帯び運転、０．２５ｍｌ以上を酒酔い運転としている。
【発明が解決しようとする課題】
【０００３】本発明は酒気を帯びている者が自動車を運転しようとしてもエンジンが動作しなくするものである。
【発明が解決するための手段】
【０００４】運転者が運転席に座ると呼気テスターの吸気口から検査器に取り込みアルコール含有量を測定する。測定値が０．１５ｍｇ以上であった時、その値を表示する数字の下から３桁目の上部の横のセグメントの部分がＨであればエンジンが動作しないようにディストリビューターに送る電源をリレーで遮断する。
【発明を実施するための最良の形態】
【０００５】以下に発明の形態について説明する。
（イ）  図−１は運転者が運転席に着いた状態の図である。
（ロ）  （１）は運転者の頭部であり、（２）は呼気を測定器（３）に取り込む吸入口である。
（ハ）  （３）は呼気のアルコールの分量を測定する測定器である。
（ニ）  （４）この測定器は吸気口から運転者の呼気を取り込むようにファンを設け、又、表示部の（１）、（２）からセギメントの出力を取り出すように改造を加えてある呼気中のアルコール量を表示する表示部である。
（ホ）  図−２は表示部のセグメントの３桁目の部分であり（１）の部分と（２）の部分がＨとなると点灯する。
（ヘ）  （１）の部分と（２）の部分が点灯するとアルコール濃度は０．２５ｍｇであり、酒気帯運転か酩酊運転である。
（ト）  上記（ヘ）がＨとなった時にリレー（３）がＯＮしてエンジンに送る電気を遮断しエンジンを止める。
【発明の効果】
【０００６】酒気帯運転以上の危険な運転を防止でき、悲惨な交通事故を防止できる。
【図面の簡単な説明】
【０００７】
【図−１】は運転者が運転席に座った様子を表す図である。１運転者頭部  ２呼気吸入口  ３アルコール分測定器  ４測定値表示部
【図−２】は測定器の表示部の詳細図である。１下２桁目の縦部セグメント  ２下２桁目の上の横部セグメント  ３リレー
【図−３】は検出部、駆動部の配線図である。１表示部下３桁の状態  ２表示部下３桁の２桁目の状態  ３飲酒運転の規定値に達する場合にＨＩとなり、そうで倍場合はＬとなる。そこで飲酒していという結論が出ればエンジンに供供給する燃料を遮断し、飲酒運転を防止する。４リレー
【図−１】
2009173252.tif 000003
【図−２】
2009173252.tif 000004
【図−３】
2009173252.tif 000005
(57)【要約】【課題】従来から交通機関の駅等でよく見かける光景に、駐輪スペースが満杯で歩道や車道等にはみ出て、違法な駐輪になっていることが多く見かけられる、歩行者や他の通行に又、非常時の作業の妨げにもなり又、家庭等での駐輪のスペースにおいても現状での自転車の嵩（ハンドルの幅）が大きな要因なので該、要因の少しでも嵩を小さくすることが望まれると言う課題がある。【解決手段】従来技術から自転車の走行時に対応して設置している、ハンドルを駐輪時に容易にワンタッチで前輪と直線方向に回転させて該、自転車の幅を狭くして駐輪スペースに効率よく（複数台の駐輪の場合は特に効率がよい）駐輪出来るものである。【選択図】  図２
2009173221.tif 000002
【特許請求の範囲】
【請求項１】
二輪自転車（以下自転車と言う）において、従来から、走行時に対応して設置されているハンドルの位置を、クサビ状ロックピンをワンタッチの操作で駐輪時に対応する位置に設置変更が出来る、構造の構成を特徴とするハンドル。
【発明の詳細な説明】
【技術分野】
【０００１】
本発明は、簡単な操作で通常走行時の位置のハンドルを設置・固定（以下設置と言う）から、走行が不可能な位置への切り替え設置が出来る自転車のハンドルに関するものである。
【０００２】
自転車の、走行時の前輪と同じ並び（直線）にハンドルの位置にワンタッチで替えて設置して、自転車本体の幅を小さくする事によって、限られたスペースに、幅の小さくなった自転車を効率よく駐輪・格納（以下駐輪という）が出来る、ハンドルの提供を目的とするものである。
【背景技術】
【０００３】
従来から、通常ハンドルは走行に対応して、前輪に対して直角に設置されているので、駐輪・走行時の都度にハンドルの設置の変更を繰り返しての、上述の様なワンタッチ操作で、自転車の幅を小さくする事は困難である。
【０００４】
上述の様な事態の改善策として、次の様な提案がなされている。
【特許文献１】特開２００１ー７１９７８号公報
【発明の開示】
【発明が解決しようとする課題】
【０００５】
解決しようとする、上述の提案による自転車のハンドルを切り替えての方法では、従来のハンドルと前車輪の構造に比較して、部品点数も多く（２６）本体固定ボルト差し込み穴と（２７）ボルトによる固定方法に強度上の安全に不安がある。
【課題を解決するための手段】
【０００６】
本発明は、自転車本来の機能に、駐輪時の妨げに成らないハンドルの機能を追加し、外見・強度・使い勝手も変わらず、製造組み立て工程も従来と同じに構成した。
【発明の効果】
【０００７】
走行時の設置のハンドルを駐輪時には、ワンタッチの容易な操作で前輪に対して直線な位置に設置にする事によって、自転車の幅は従来の約５５  に比較して２０  以下と大幅に縮小されるので、駐輪のスペースは極端に減少される。
【０００８】
従来の駐輪スペースの２分の１以下と、駐輪問題の現状を解決するもので又、駐輪設備の新たな建設をするにも費用も安価で従って、駐輪料金も安価になり違法駐輪の減少にもつながるものであり、家庭等の駐輪にもコンパクトに収まりその効果は大である。      
【発明を実施するための最良の形態】
【０００９】
以下、本発明の実施の形態の一例を、図面と符号により詳細に説明する。
【００１０】
図２に示す、走行の対応にハンドルに内蔵の（１）ロックピンが（２）押しバネの作用で（３）ロック穴に挿入されて（４）前輪支え軸と固定するもので、駐輪時の対応には（１）ロックピンを（５）レバーの（他の方法でも良い）ワンタッチの操作で（３）ロック穴から（１）ロックピンを引き抜き解放して（６）角ハンドルを平行に９０度回転させ駐輪時に対応するものである。（以上の操作を繰り返す適時行う）
【００１１】
上述の様な構造で構成されたハンドルを、従来の自転車本体の（４）支え軸に（１０）ハンドル軸を差し込み（８）長ボルトを締め、（９）クサビナットを引き寄せ、該ナットのクサビの作用で（４）ハンドル軸と固定（従来と同じ組み立て作業）するものである。
【００１２】
その他にも車体幅を狭くするための、妨げになる足踏（１４）ペダルは従来技術の折り畳み式を、採用して操作するものである。
【００１３】
本発明の構造を実行して、走行時から駐輪時のハンドル設置の切り替えは、（１）ロックピンが（２）押しバネの作用で（３）ロック穴に挿入されて、（４）前輪支え軸と（６）角ハンドルが強固に固定されている（強度は従来と同じである）該、（１）ロックピンを（３）ロック穴から、（５）レバー等を介してワンタッチで引き抜き（４）前輪支え軸と（６）角ハンドルの固定は解放されたので該、（６）角ハンドルの一方 を（８）固定ボルトを、中心に回転させて（１３）前輪と平行に引き寄せる事で駐輪時の対応は終了。
再び走行に対応するには（６）角ハンドルの一方を、そのまま前記の逆に押し返すだけで（１）ロックピンは（２）押しバネの作用で、自動で（３）ロック穴に挿入され（６）角ハンドルと（４）前輪支え軸は固定されて、走行時の対応の設置に成るものである。
【００１４】
従って上述の様に、走行時・駐輪の双方に対応するハンドル設置の切り替えに、レバーをワンタッチ（例えば、扉を開く時はノブを摘まんで開き、閉じる時は、そっと押して閉じる作業と同じ）で引いて回転するだけである。
【００１５】
上述の様にワンタッチの簡単な操作で、従来と走行にはもちろん支障がなく、走行しない場合には車体幅を小さくして駐輪できる、以上のように本実施形態によれば、限りあるスペースを効率よく使う効果が得られるものである。
【図面の簡単な説明】
【００１６】
【図１】本発明の実施形態の箇所を示す側面図である。
【図２】構造部分の詳細な断面図である。
【図３】上から見たＡ走行時とＢ駐輪時の平面図である。
【符号の説明】
【００１７】
１      クサビ状ロックピン
２      押しバネ
３      ロック穴
４      前輪支え軸
５      レバー（ロックピン、ワンタッチ操作
６      ハンドルの角部分
７      （自転車本体側）ハンドル軸の支えガイド
８      ハンドル全体の固定ボルト  
９    １０-ハンドル軸と４前輪支え軸の組み立て固定、矢型ナット 
１０      ４ー前輪支えに、つながる軸 
１１      ６−ハンドルに、つながる軸
１２      ワイヤー
１３      前輪
１４      ペダル
【図１】
2009173221.tif 000003
【図２】
2009173221.tif 000004
【図３】
2009173221.tif 000005
(57)【要約】【課題】  リパーゼ阻害作用を有する組成物を提供し、ひいては該組成物を含有する飲食品又は医薬品を提供することにある。【解決手段】  メタセコイアの球果成分を含有することを特徴とするリパーゼ阻害組成物、及び該組成物を含有する飲食品又は医薬品を提供する。【選択図】なし【特許請求の範囲】
【請求項１】
メタセコイアの球果成分を含有することを特徴とするリパーゼ阻害剤。
【請求項２】
請求項１に記載の組成物を含有する飲食品又は医薬品。
【発明の詳細な説明】
【技術分野】
【０００１】  本発明は脂肪吸収抑制の一種であるリパーゼ阻害を目的とした組成物、及び該組成物を含む飲食品又は医薬品に関する。
【背景技術】
【０００２】    脂肪の過剰摂取は、これが原因で様々な生活習慣病を引き起こす。脂肪過剰摂取に起因する主な生活習慣病としては、肥満・糖尿病・動脈硬化・高脂血症などが挙げられ、健康を著しく損なうことになり得る。脂肪吸収抑制の一種である膵リパーゼ活性を阻害することでトリグリセリドの吸収を抑制し、摂取エネルギーを減少させるというメカニズムに着目した。【０００３】  メタセコイア（学名  Ｍｅｔａｓｅｑｕｏｉａ  ｇｌｙｐｔｏｓｔｒｏｂｏｉｄｅｓ、和名  アケボノスギ）はスギ科メタセコイア属の中国原産の植物。葉は線形、羽状に対生。秋に赤茶職に紅葉した後、落葉する。結実は球状で多く、秋から冬にかけて無数の種が地表に落ちる。
【発明の開示】
【発明が解決しようとする課題】
【０００４】  本発明は、脂肪吸収抑制の一種であるリパーゼ阻害活性作用を有する組成物を提供し、ひいては該組成物を含有する飲食品又は医薬品を提供することにある。
【課題を解決するための手段】
【０００５】  上記の課題を解決するために鋭意検討を重ねた結果、メタセコイアの球果に顕著なリパーゼ阻害活性作用があることを見出した。すなわち本発明は、以下の構成を有する。
（１）メタセコイアの球果成分を含有することを特徴とするリパーゼ阻害剤。
（２）上記（１）に記載の組成物を含有する飲食品又は医薬品。
【発明の効果】
【０００６】本発明により、メタセコイアの球果成分を含有することを特徴とするリパーゼ阻害剤、及び該組成物を含有する飲食品又は医薬品を提供することができる。
【発明を実施するための最良の形態】
【０００７】  本発明に関わるメタセコイアの球果は、水、又はアルコールなどの有機溶媒で抽出した抽出物を用いる。【０００８】  本発明に関わるリパーゼ阻害剤を製造するには、上記の方法で製造したメタセコイアの球果成分を用いることができ、常法に従って公知の医薬用無毒性担体と組み合わせて製剤化すればよい。本発明に関わる脂肪吸収抑制剤は、種々の剤型での投与が可能であり、例えば、経口投与剤としては錠剤、顆粒剤、散剤、カプセル剤、ソフトカプセル剤などの固形剤、溶液剤、懸濁剤、乳化剤等の液剤、凍結乾燥剤等があげられ、これらの製剤は製剤上の常套手段により調製することができる。上記医薬用無毒性担体としては、例えば、グルコース、乳糖、ショ糖、でんぷん、マンニトール、デキストリン、脂肪酸グリセリド、ポリエチレングリコール、ヒドロキシエチルでんぷん、エチレングリコール、ポリオキシエチレンソルビタン脂肪酸エステル、アミノ酸、アルブミン、水、生理食塩水などが挙げられる。また、必要に応じて安定化剤、滑沢剤、湿潤剤、乳化剤、結合剤等の慣用の添加剤を適宜添加することができる。本発明に関わる脂肪吸収抑制剤において、脂肪吸収抑制剤成分の投与量は、患者の年齢、体重、症状、疾患の程度、投与スケジュール、製剤形態等により、適宜選択、決定される。
【実施例】
【０００９】  以下に本発明をより詳細に説明するために実施例を挙げるが、本発明はこれらによって何ら限定されるものではない。【００１０】実施例
メタセコイアの球果のメタノール抽出物、熱水抽出物のリパーゼ阻害活性作用
Ｌｉｐａｓｅ  Ｋｉｔ  Ｓ（大日本住友製薬）を用いて以下の方法でリパーゼ阻害活性を測定した。
１．リパーゼ溶液［１．０ｕｎｉｔｓ／ｍｌ］（５μｌ）、エステラーゼ阻害剤（２μｌ）、発色液（７３μｌ）をウエルに入れた。
２．３２℃、１０ｍｉｎプレインキュベート後、サンプル溶液［終濃度１００μｇ／ｍｌ］またはコントロールとして１００％ＭｅＯＨ（１０μｌ）を加えた。
３．３２℃、３５ｍｉｎ（遮光）インキュベート後、反応停止液（２００μｌ）を加えた。
４．４０５ｎｍで吸光度を測定し、反応率を次式より算出した。
2009173617.tif 000002
ポジティブコントロールとして研究室で独自に抽出したウーロン茶抽出物を用いた。【００１１】リパーゼ阻害活性試験の結果を表１に示す。
Ｃｏｎｔｒｏｌに対する有意差はＳｔｕｄｅｎｔのＴ−ＴＥＳＴを用いた。
メタノール抽出物、熱水抽出物ともにリパーゼ阻害の効果がみられた。【００１２】  脂肪吸収抑制試験
メタセコイアの球果抽出物の脂肪吸収抑制効果を調べるために以下の実験を行った。すなわち７週齢、雌のｄｄＹマウス（ｎ＝８）に尾採血を行った後、メタセコイアの球果のメタノール抽出物（１０００ｍｇ／ｋｇ）０．５ｍｌとコーン油０．２ｍｌ、熱水抽出物（１０００ｍｇ／ｋｇ）０．５ｍｌとコーン油０．２ｍｌを同時にそれぞれ経口投与して、経時的に尾採血を行った。コントロール群には水０．５ｍｌとコーン油０．２ｍｌを同時に経口投与し、それぞれの血中中性脂肪濃度を測定した。その結果を表２に示す。Ｃｏｎｔｒｏｌに対する有意差はＳｔｕｄｅｎｔのＴ−ＴＥＳＴを用いた。【００１３】  表２の結果より、Ｃｏｎｔｒｏｌに対しメタノール抽出物投与群、熱水抽出物投与群ともに血中中性脂肪濃度が有意に低値を示した。
これはメタセコイアの球果抽出物がリパーゼの作用を阻害し、小腸での吸収を阻害していると考えることができる。【００１４】この結果よりメタセコイアの球果抽出物がリパーゼ阻害活性効果により脂肪吸収抑制を引きおこすことがわかった。
【産業上の利用可能性】
【００１５】  本発明により、メタセコイアの球果成分を含有することを特徴とするリパーゼ阻害による脂肪吸収抑制組成物及び該組成物を含有する飲食品又は医薬品提供することが可能となった。
【表１】
2009173617.tif 000003
【表２】
2009173617.tif 000004
(57)【要約】【課題】水素発生型ミネラルは水に触れると短時に水素効力が失われる。【解決手段】寒天、シリカ素材のカプセルで包み、又は、寒天、シリカ素材にあらかじめ水素発生型ミネラルを混入し、品質保持期間を長期化する。【選択図】なし【特許請求の範囲】
【請求項１】
水素発生型ミネラルを、寒天素材のカプセルに閉じ込め、あらかじめ化粧品類に混入し、使用時にカプセルが割れ、抗酸化作用を現わせる方法。
【請求項２】
水素発生型ミネラルを、シリカ素材のカプセルに閉じ込め、あらかじめ化粧品類に混入し、使用時にカプセルが割れ、抗酸化作用を現わせる方法。
【請求項３】
水素発生型ミネラルを、寒天素材にあらかじめ混入した、カプセルを使用する方法。
【請求項４】
水素発生型ミネラルを、シリカ素材にあらかじめ混入した、カプセルを使用する方法。
【発明の詳細な説明】
【技術分野】水素発生型ミネラルを水溶液内で安定を図る技術。
【発明の開示】
【発明が解決しようとする課題】
【０００１】この発明は肌用液の酸化を長期防ぎ、塗布直後から過酸化脂質を除去する方法。【０００２】従来の抗酸化物質の水素発生型ミネラルは、水に触れると著しく水素が発生し効果が持続しない為、水溶液に混入したままで、数ヶ月安定させることが困難であった。
【課題を解決するための手段】
【０００３】寒天、シリカ素材の小さなカプセル内に、水素発生型ミネラルを閉じ込める。又、その素材内にあらかじめ水素発生型ミネラルを、混入させておくことにより、使用時カプセルが割れ、抗酸化能を発揮させる。
【発明の効果】
【０００４】分子量１の水素を発生させるミネラルの抗酸化力を、長期に渡り水の中で保存することが可能になり、抗酸化作用の高い製品を安価で提供できる。
【発明を実施するための最良の形態】
【０００５】１００ｍｌ入り水溶液には、直径２ｍｍ型の水素発生型ミネラル入り寒天カプセル、又は、シリカ素材カプセルを１０００個混入する。